(57)【要約】      （修正有）【課題】使用されている蛍光体間の相互作用による特性の損失や、蛍光体間の相互作用までを考慮して演色性を高め、最適条件にした照明用ＬＥＤデバイスや、ＬＥＤ電球を提供する。【解決手段】単色系ＬＥＤデバイスを用いることにより、蛍光体間の相互作用をできるだけ少なくし、ＬＥＤ電球などＬＥＤ照明装置１を設計する。【選択図】図１
2014120537.tif 000002
【特許請求の範囲】
【請求項１】
青色光、紫色光、または紫外光を発する半導体発光素子と該半導体発光素子の光で励起され固有の光を発する蛍光体からなる発光装置において、
前記固有の光として、
青色系の光を発する青色系蛍光体、
緑色系の光を発する緑色系蛍光体、
黄色系の光を発する黄色系蛍光体、および、
赤色系の光を発する赤色系蛍光体
の中から、異なる発光色の蛍光体を混合して、前記半導体発光素子の光取り出し面上に塗布し、色温度が2500Ｋから6000Ｋの範囲のなかの色温度で発光する発光装置（混合系白色ＬＥＤデバイスと記す）と
前記固有光を発する蛍光体の中から、一つの発光色の蛍光体を前記半導体発光素子の光取り出し面上に塗布した発光装置（単色系ＬＥＤデバイスと記す）とを用いて、白色発光としたことを特徴とするＬＥＤ照明装置。
【請求項２】
前記ＬＥＤ照明装置において、
異なる発光色の前記単色系ＬＥＤデバイスのみを複数個用いて、白色発光としたことを特徴とする請求項１に記載のＬＥＤ照明装置。
【発明の詳細な説明】
【技術分野】
【０００１】
本発明は、ＬＥＤ電球などのＬＥＤ照明装置に係り、光束値（ルーメン値）が高く、かつ演色性が良好な照明装置に関するものである。
【背景技術】
【０００２】
近年、ＬＥＤを用いた照明装置が実用化され、白熱電球や蛍光灯をはじめ水銀灯やハロゲン灯にも置き換わりつつある。その理由は、低消費電力で同等な明るさが得られ、地球温暖化の原因である二酸化炭素の排出量を大幅に削減できるエコ商品の切り札となるからである。例えば、６０Ｗ級の白熱電球の同等の明るさは、９ＷのＬＥＤ電球で実現できている。このように、すべての照明がＬＥＤ照明に代われば、二酸化炭素排出量の削減目標は容易に達成できるのであるが、これを阻んでいるのが、２つの照明装置の価格差がまだ大きいことである。寿命を考慮すれば、その価格差はかなり小さくなっているので、特殊な場所の照明は、それを交換する人件費も削減できるため、ＬＥＤ照明に置き換えられつつある。
【０００３】
店舗のダウンライトやスポット照明に使用されるハロゲン灯は、白熱電球と同じくフィラメントに通電し、これを白熱させた際の発光を利用するので、色再現性を評価する演色評価数が高く、また一般の白熱電球よりフィラメントの温度を高くできるため、５０％程度明るくすることができる。また、寿命も長持ちする。その理由は、フィラメントの材質はタングステンであり、白熱するとタングステンは昇華し、一般の白熱電球では、電球のガラスに析出する。しかしハロゲン灯は電球内に不活性ガスとともにハロゲンガスが微量封入されているので、ハロゲン化タングステンとなり、この物質は蒸気圧が高く析出せずにフィラメント付近で再度タングステンとハロゲンに分離し、タングステンがフィラメントに戻るというハロゲンサイクルを繰り返すためである。
ハロゲン灯の色温度は、２７００Ｋから３０００Ｋ程度で、演色性はランプの中では、最もよく、色再現性が重要な場所では、この光源が用いられる。
【０００４】
ハロゲン灯（ハロゲンランプとも記する）をＬＥＤ電球で置き換える場合、ハロゲンランプの用途が、店舗の照明や演出照明など色再現性が重要な場所の照明に用いられるため、課題になるのは、明るさと演色性である。明るさは、ＬＥＤ素子の発光効率が上がり、照明用ＬＥＤデバイス（照明用ＬＥＤ電子部品）の実力値で１５０ｌｍ／Ｗ（５０００Ｋ）や１００ｌｍ／Ｗ（３０００Ｋ）に達しているので問題はないように思えるが、演色性を考慮に入れると発光効率は下がってくる。例えば、色温度が３０００Ｋの照明用ＬＥＤデバイスで、平均演色評価数Ｒａ＝８０のデバイスは、発光効率が１００ｌｍ／Ｗが可能であるが、Ｒａ＝８５のデバイスは、８０ｌｍ／Ｗと低くなる。つまり演色性を良くすれば、発光効率は下がってくるのである。
【０００５】
半導体発光素子（ＬＥＤ素子とも記する）を用いた白色光を得る方法として、第１ステップとして、青色光で青色と補色の関係にある黄色の光を発するＹＡＧ系の蛍光体粉末が用いられていた。しかし、このＬＥＤ素子の青色光とＹＡＧ蛍光体の黄色光で作られる疑似の白色光は、平均演色評価数Ｒａの値が７０台程度と低く、その照明で物の自然な色を再現するには無理があった。Ｒａが低い原因は、光の赤成分が少ないためである。
そこで、第２ステップとして、ＬＥＤ素子の青色光で光の３原色である緑色と赤色の光を発する蛍光体粉末が用いられるようになり、ＬＥＤ素子の青色光と２種の蛍光体からのブロードな光スペクトルを持つ緑色光と赤色光により、白色光を構成し、その平均演色評価数Ｒａの値は発光効率が良いもので８０台と改善されたが、Ｒａが９０台に届く高演色タイプでは発光効率はかなり悪くなる。その原因は後述する。
【０００６】
この先、第３ステップとして、紫色光や紫外光を発する半導体発光素子の高輝度化が進めば、紫色光や紫外光で光の３原色を発する３種の蛍光体粉末が用いられ、Ｒａの値はハロゲンランプと同等の１００になることが期待できる。
ＬＥＤ電球に用いられる照明用ＬＥＤデバイスは現段階では前記第２ステップにあり、青色光を発光するＬＥＤ素子とその青色光で励起されブロードな緑色光を発する緑色系蛍光体と青色光で励起されブロードな赤色光を発する赤色系蛍光体から構成されている。光の明るさは、人間の視感度にも影響されるので、視感度を考慮した光束で表され、単位はｌｍ（ルーメン）が用いられる。人間の視感度は、波長５５５ｎｍの黄色系の光が最も高く、青色系や赤色系の光は低くなる。そのため、蛍光体による赤色系の光成分が多くなればルーメン値は低くなる。演色性を良くするためには、一般的に、赤色系の光のなかでも長波の赤色光が必要で、その分、ルーメン値は低くなるのである。
【０００７】
図6に色温度が約３０００Ｋの照明用ＬＥＤデバイスの平均演色評価数がＲａ＝８０のものとＲａ＝９０以上のものの光のスペクトルを比較する。図6に示したＳａｍｐｌｅ１はＲａ＝９６．４で明るさは６０．６ｌｍ、Ｓａｍｐｌｅ２はＲａ＝８１．９で明るさは７０．１ｌｍである。Ｓａｍｐｌｅ１のスペクトルは、Ｓａｍｐｌｅ２のスペクトルより長波の赤色光の成分が多くなっており、その分、ルーメン値は低くなっていることがわかる。
このように、演色性を良くすると光束値が下がる第１の要因は、上記した理由によるものであるが、それ以外に重要な第２の要因がある。それを以下に記述する。
【０００８】
一般的に、緑色系蛍光体と赤色系蛍光体は色温度を再現できる配合比で混合されて利用される。図6の照明用ＬＥＤデバイスの場合も蛍光体は混合されてＬＥＤ素子の周りに配置されている。このように緑色系蛍光体と赤色系蛍光体を混合して使用する場合、蛍光体間で相互作用が生じている。つまり、ＬＥＤ素子からの青色光で励起された緑色系蛍光体からブロードな緑色光が発光されるが、その光の一部は赤色系蛍光体の励起光にもなりうるのである。
図７にこのような相互作用の顕著な例を示す。図７のＳａｍｐｌｅ３は、緑色系蛍光体と赤色系蛍光体を同じ量だけ混合した場合のスペクトルで、Ｓａｍｐｌｅ４は、緑色系蛍光体と赤色系蛍光体の単独のスペクトルを加算したもの（つまり、両者の蛍光体間で相互作用がない場合のスペクトル）である。両スペクトルの光特性値は、Ｓａｍｐｌｅ３は、光束値＝６９．０ｌｍ，Ｒａ＝６９．０，色温度＝２３００Ｋ、Ｓａｍｐｌｅ４は、光束値＝７２．２ｌｍ，Ｒａ＝９３．５，色温度＝４０９６．９Ｋである。
この発光スペクトルデータＮｏ３からわかるように、同じ量だけ混合した場合（すなわち緑色系蛍光体と赤色系蛍光体の混合比を１：１にした場合）は、緑色光成分は全く現れずに赤色光成分だけが大きくなっている。すなわち、緑色光は赤色系蛍光体に再吸収されて赤色光に変換されているのである。その結果、色温度は赤っぽく２３００Ｋとなり、色再現性もＲａ＝６９．０と悪くなり、さらに光束値も小さくなっている。
【０００９】
この例から次の２つのことが理解できる。
まず第１に、蛍光体を混合したＳａｍｐｌｅ３は、ＬＥＤ素子が発する青色光から緑色系蛍光体によりブロードな緑色光に変換され、更にこの光が赤色系蛍光体によりブロードな赤色光に変換されるという２段階の変換を経由した光となるため、２段階の変換による損失が伴っている。すなわちトータルとしての白色光の発光効率に損失分が発生していること。
【００１０】
第２に、緑色光成分の消失は、色温度の変化はもちろんであるが、平均演色評価数Ｒａを大きく損なっていること。
このような蛍光体間の相互作用は、演色性を落とすとともに、発光効率も悪くする作用があるのである。すなわち、前記したハロゲンランプのような高演色性で高光束値を持つ光源をＬＥＤ電球で置き換えるためには、蛍光体間の相互作用をなくす構造にすることが重要であることがわかる。
【００１１】
既存の白色ＬＥＤデバイスは、第２ステップにあるため、前記したように高演色化と高光束化が達成しにくい。そのため、高演色化は既存の白色ＬＥＤデバイスに赤色発光ＬＥＤ素子を用いたデバイス（赤色ＬＥＤデバイスと記する）を追加する方法が取られている。このような例は、特許文献１に示されている。
この場合、色温度の異なる２つの白色ＬＥＤデバイス（例えば、色温度が約３０００Ｋと４０００Ｋの２つ）に赤色ＬＥＤデバイスを追加して用いている。ここでの２つの白色ＬＥＤデバイスは、前記した第２ステップのもので、（２つの色温度の白色ＬＥＤデバイスを使用しているので）２倍の蛍光体間の相互作用による損失が含まれている。また、赤色ＬＥＤデバイスのスペクトルは、シャープなスペクトルで、トータルのスペクトルがアンバランスになることや赤色発光ＬＥＤ素子と青色発光ＬＥＤ素子とはＶＦが異なっているのでドライバー回路が複雑になるなどの欠点もある。
また、文献２は、高光束で高演色なＬＥＤ照明とするために、青色ＬＥＤデバイス、青緑色ＬＥＤデバイス、橙色ＬＥＤデバイスおよび赤色ＬＥＤデバイスにより構成した照明装置の例やさらに蛍光体も含めた構成も記述されているが、数種のＬＥＤデバイスをコントロールすることは、各ＬＥＤデバイスの静特性や温度や寿命特性が異なるため非常に複雑になり、現実的ではない。
【先行技術文献】
【特許文献】
【００１２】
【特許文献１】特開２０１２−３９０８号公報
【特許文献２】特開２００６−２６１７０２号公報
【発明の概要】
【発明が解決しようとする課題】
【００１３】
ハロゲンランプを前記した第２ステップの照明用ＬＥＤデバイスで再現する場合、３０００Ｋの色温度で、演色性がＲａ＝９０以上の値で、発光効率が１００ｌｍ／Ｗのものが理想的である。これまでの照明用ＬＥＤデバイスは、青色光を発光するＬＥＤ素子に、色温度や演色性を再現するための蛍光体を混合して、ＬＥＤ素子の光取り出し面上に配置する構造が主であり、蛍光体間の相互作用までを考慮して、最適条件にした照明用ＬＥＤデバイスや、ＬＥＤ電球は存在していない。上記した理想的な照明用ＬＥＤデバイスを実現するためには、ＬＥＤ素子の発光効率や蛍光体粉末の変換効率（青色光で励起され固有の色の光を発する効率）の向上とともに、蛍光体間の相互作用をできるだけ少なくするＬＥＤデバイスの構造やＬＥＤ電球などＬＥＤ照明装置の設計が重要である。
また、この先、紫ＬＥＤ素子や紫外ＬＥＤ素子の高輝度化と低コスト化が進み、蛍光体として青色系蛍光体が用いられるようになっても、青色系蛍光体、緑色系蛍光体、黄色系蛍光体、および赤色系蛍光体間の相互作用もこれまで以上に考慮する必要が生じてくることは同じである。
【００１４】
本発明は、上述のごとき実情に鑑みてなされたもので、特にＬＥＤ電球などのＬＥＤ照明装置として、蛍光体間の相互作用を少なくした構成とすることにより、特性が向上したＬＥＤ電球などのＬＥＤ照明装置を提供することを目的とする。
【課題を解決するための手段】
【００１５】
請求項１の発明は、
青色光、紫色光、または紫外光を発する半導体発光素子と該半導体発光素子の光で励起され固有の光を発する蛍光体からなる発光装置において、
前記固有の光として、
青色系の光を発する青色系蛍光体、
緑色系の光を発する緑色系蛍光体、
黄色系の光を発する黄色系蛍光体、および、
赤色系の光を発する赤色系蛍光体
の中から、異なる発光色の蛍光体を混合して、前記半導体発光素子の光取り出し面上に塗布し、色温度が2500Ｋから6000Ｋの範囲のなかの色温度で発光する発光装置（混合系白色ＬＥＤデバイスと記す）と
前記固有光を発する蛍光体の中から、一つの発光色の蛍光体を前記半導体発光素子の光取り出し面上に塗布した発光装置（単色系ＬＥＤデバイスと記す）とを用いて、白色発光としたことを特徴とするＬＥＤ照明装置である。
【００１６】
前記第2ステップの白色ＬＥＤデバイスは、緑色系蛍光体（または黄色系蛍光体）と赤色系蛍光体をシリコン樹脂中に一定の割合で混合し、青色光を発光するＬＥＤ素子の光取り出し面上に塗布した構造（混合系白色ＬＥＤデバイス）で、緑色系蛍光体と赤色系蛍光体間の相互作用で、発光効率や演色性が損なわれている。この混合系白色ＬＥＤデバイスで、３０００Kのものは、平均演色評価数Ｒａが80のものは９５ｌｍ／Wが可能であるが、Ｒａが８５のものは、７７ｌｍ／Ｗに落ちてしまう。したがって、混合系白色ＬＥＤデバイスのみで、Ｒａ＝８５以上のＬＥＤ照明装置を構成しようとすると、照明装置トータルの発光効率は７７ｌｍ／Ｗ未満のものになってしまう。
【００１７】
それに対して、ＬＥＤ照明装置を、平均演色評価数Ｒａが低い混合系白色ＬＥＤデバイスと、緑色系蛍光体をシリコン樹脂中に一定の割合で混合し、青色光を発光するＬＥＤ素子の光取り出し面上に塗布した構造（これを緑色系ＬＥＤデバイスと記す）のものと、赤色系蛍光体を同様に用いた構造の赤色系ＬＥＤデバイスとで構成すると、緑色系ＬＥＤデバイスと赤色系ＬＥＤデバイス間には、緑色系蛍光体と赤色系蛍光体を分離しているのでそれらの蛍光体間の相互作用は存在しない。そのため照明装置トータルの発光効率は、混合系のみで構成したものよりも１割程度高くでき、さらにＲａも混合系のみのものより高くすることができる。
すなわち、緑色系ＬＥＤデバイスや赤色系ＬＥＤデバイスのように、一つの発光色の蛍光体を用いたＬＥＤデバイス（単色系ＬＥＤデバイス）をＬＥＤ照明装置に加えれば、蛍光体間の相互作用の損失を緩和でき、高演色で発光効率が良好なＬＥＤ照明装置が実現可能である。
ここで、母体となる蛍光体の固有光の色区分の範囲内で、スペクトルのピーク値や裾野の形状を調整する程度に異なる発光色の蛍光体を混ぜたものも、該母体となる蛍光体の固有光を発する蛍光体に属する。
【００１８】
請求項２の発明は、
前記ＬＥＤ照明装置において、
異なる発光色の前記単色系ＬＥＤデバイスのみを複数個用いて、白色発光としたことを特徴とする請求項１に記載のＬＥＤ照明装置である。
【００１９】
前記したように、もちろん単色系ＬＥＤデバイスのみで、ＬＥＤ照明装置を構成すれば、蛍光体間の相互作用が生じないため、さらに高光束で演色性の優れたＬＥＤ照明装置が実現可能である。ただし、単色系ＬＥＤデバイスのみで構成した場合は、各固有色の色の混ざり具合を均一にする工夫が必要で、そこでの発光効率の損失を如何に最小にするかが重要である。
【発明の効果】
【００２０】
本発明の発光装置は、ＬＥＤ照明装置に使用するＬＥＤデバイスを、蛍光体間の相互作用が存在する混合系白色ＬＥＤデバイスと該相互作用がほとんど生じない単色系ＬＥＤデバイスでトータルな白色光を構成するので、混合系白色ＬＥＤデバイスのみで構成するより、演色性が高くて、高光束なＬＥＤ照明装置が実現可能である。
また、単色系ＬＥＤデバイスのみで白色光を構成すると、さらに演色性が良好なＬＥＤ照明装置ができる。
【図面の簡単な説明】
【００２１】
【図１】本発明の第１実施形態のＬＥＤ照明装置の基板の配置図である。
【図２】本発明の第２実施形態のＬＥＤ照明装置の基板の配置図である。
【図３】単色系ＬＥＤデバイスの一例の図であって、（ａ）は上から見た平面図、（ｂ）は線Ａ−Ａでの断面図である。
【図４】混合型白色ＬＥＤデバイスの一例の断面図である。
【図５】従来のＬＥＤ照明装置の基板の配置図である。
【図６】発光装置の発光スペクトルデータＮｏ２である。
【図７】発光装置の発光スペクトルデータＮｏ３である。
【発明を実施するための形態】
【００２２】
以下、本発明の発光装置の実施形態について、第１、第２実施形態の順に、図面を参照して詳細に説明する。
【００２３】
まず、第１実施形態のＬＥＤ照明装置の基板配置図を図１に示す。
このＬＥＤ照明装置１は、基板Φ１５．５ｍｍの円内に配置されており、図４に示すような混合系白色ＬＥＤデバイス２を6個および図３に示すような緑色系ＬＥＤデバイス３を２個、赤色系ＬＥＤデバイス４を２個使用している。混合系白色ＬＥＤデバイス２は、外周円側の同心円の線上に均等に配置されており、緑色系ＬＥＤデバイス３と赤色系ＬＥＤデバイス４は中心付近の十字の位置に２個ずつ配置されている。
この混合系白色ＬＥＤデバイス２は、３Ｗ級でサイズが一辺３．４５ｍｍの正方形で、半球状の樹脂レンズが形成されている。色温度は約３０００Ｋで、平均演色評価数Ｒａ＝８０．０、Ｒ９＝１．４、光束値が９５．２ｌｍ（Ｉｆ＝３５０ｍＡの時）のものである。
緑色系ＬＥＤデバイス３は、図３に示す構造で、緑色系蛍光体として、例えばＣａＳｃ２Ｏ４：Ｃｅを使用し、シリコン樹脂中に重量比５５％の濃度で、厚み０．１ｍｍのフィルム状に形成されている。サイズは２．６ｍｍ×２．３ｍｍの長方形で、光束値は１０3．２ｌｍ（ＩＦ＝３５０ｍＡの時）である。
赤色系ＬＥＤデバイス４も同様な構造及びサイズで、赤色系蛍光体として、例えば（ＳｒＣａ）ＡｌＳｉＮ３：Ｅｕを使用し、シリコン樹脂中に重量比５５％の濃度で、厚み０．１ｍｍのフィルム状に形成されている。光束値は５０．１ｌｍ（ＩＦ＝３５０ｍＡの時）である。
これらのＬＥＤデバイスで構成されたＬＥＤ照明装置１の光特性は、１１．２Ｗの消費電力を印加した時に、光束値は９３２．３ｌｍで、平均演色評価数Ｒａ＝８６．４、Ｒ９＝２０．５、色温度は３０４８Ｋであった。
【００２４】
比較のため、混合系白色ＬＥＤデバイス２のみで構成した場合、基板サイズΦ１５．５ｍｍの円内に配置できる数は、図５に示すように７個で、平均演色評価数Ｒａ＝８０のものを使用した場合の光特性は、１１．２Ｗの消費電力の印加で、光束値は９３５．０ｌｍで、平均演色評価数Ｒａ＝７９．８、Ｒ９＝１．１、色温度は２９８０Ｋであった。
また、平均演色評価数Ｒａ＝８５のものを使用した場合の光特性は、同じく１１．２Ｗの消費電力で、光束値は９０１．６ｌｍで、平均演色評価数Ｒａ＝８４．７、Ｒ９＝６．４、色温度は２９７７Ｋであった。
このように、単色系ＬＥＤデバイスをＬＥＤ照明装置の構成に入れることにより、演色性と明るさ（光束値）が向上する。
【００２５】
混合系白色ＬＥＤデバイスの一例を図４に示す。このデバイス40は、３Ｗ級の青色光を発光するＧａＮ系半導体発光素子の光取り出し面上に、緑色系蛍光体と赤色系蛍光体を色温度が約３０００Ｋになるような混合比で混合され塗布された白色ＬＥＤ素子４１として、セラミック基板４３のチップ搭載電極上に搭載され、シリコン樹脂レンズ４４で封止されたものである。このデバイスには白色ＬＥＤ素子４１を静電気から保護する保護素子４２も搭載されている。
このデバイスは、基板を用いて集光をレンズで行うタイプの混合系白色ＬＥＤデバイスであるが、パッケージを用いたタイプの混合系白色ＬＥＤデバイスでも良い。
【００２６】
また、単色系ＬＥＤデバイスの一例を図３に示す。このデバイス３０は、青色光を発光し、光取り出し面が電極形成面より小さい台形状で、側面が傾斜しており、この面からの光取り出しも考慮されているＧａＮ系半導体発光素子（ＬＥＤ素子と記す）３１で、該ＬＥＤ素子３１の電極形成面のｎ側電極とｐ側電極の表面層に３μｍの厚みのＡｕＳｎ層を形成し、＋電極および−電極としている。該ＬＥＤ素子３１の光取り出し面上には、緑色系または赤色系蛍光体粉末を含んだ蛍光体含有フィルム片３２が配置され、該ＬＥＤ素子３１の側面には、該蛍光体含有フィルム片３２を底面とする逆四角錐形状の透明樹脂部３４を形成し、さらに該ＬＥＤ素子３１の電極形成面の全面または電極形成面の＋電極と−電極部と、トータルな白色光を発する蛍光体含有フィルム片３２の出光面以外の露出した面を被覆している反射壁３３で構成されている。このデバイスは、基板に相当するものはなく、ＬＥＤ素子３１の電極（表面には３μｍの厚みのＡｕＳｎ層が形成されている＋電極と−電極）が直接実装基板に半田で実装される。そのため、デバイスとしての熱抵抗は小さく抑えられるし、高価な基板の材料費がいらないなどの特徴を持つ。
しかし、これに限らず、基板を用いて集光をレンズで行うタイプやパッケージを用いたタイプの単色系ＬＥＤデバイスでも良い。
【００２７】
ここで、緑色系蛍光体は、例えば、ＣａＳｃ２Ｏ４：Ｃｅで、１種類の緑色系蛍光体であっても良いし、２種類以上の緑色系蛍光体を混ぜたものであっても良い。また、赤色系蛍光体は、例えば、（ＳｒＣａ）ＡｌＳｉＮ３：Ｅｕで、１種類の蛍光体であっても、２種類以上の赤色系蛍光体を混ぜたものでも良い。
【００２８】
次に、第２実施形態のＬＥＤ照明装置の基板配置図を図２に示す。
このＬＥＤ照明装置２０は、基板Φ２２．０ｍｍの円内に配置されており、図３に示すような単色系ＬＥＤデバイス３０で、サイズが一辺２．６ｍｍの正方形のものが2４個使用されている。構成内容を表1に示す。蛍光体はシリコン樹脂中に混合し、フィルム状にした蛍光体含有フィルム片３２として使用されている。フィルム厚は０．１ｍｍである。
【００２９】
【表１】
2014120537.tif 000003
【００３０】
異なる発光色の単色系ＬＥＤデバイスは、色混ざりができるだけ均一になるように配置されている。各単色系ＬＥＤデバイスの平均光束値（ＩＦ＝３５０ｍＡの時）は、表２に示す。
【００３１】
【表２】
2014120537.tif 000004
【００３２】
これらの単色系ＬＥＤデバイスで構成されたＬＥＤ照明装置２の光特性は、２０．８Ｗの消費電力を印加した時に、光束値は１３２５．５ｌｍで、発光効率は６３．８ｌｍ／Ｗ、平均演色評価数Ｒａ＝９３．３、Ｒ９＝９６．１、色温度は３２０５．４Ｋであった。
【００３３】
比較のため、ＣＯＢタイプの混合系白色ＬＥＤデバイスで構成した場合、このＣＯＢタイプの発光部のサイズもΦ２２．０ｍｍの円と同じにしている。この場合、発光効率を高くした仕様のものの光学特性は、２０．５Ｗの消費電力の印加で、光束値は１２４８．７ｌｍで、発光効率は６０．９ｌｍ／Ｗ、平均演色評価数Ｒａ＝８８．６、Ｒ９＝４６．３、色温度は３２１０．３Ｋであった。
また、高演色のものの光特性は、２４．１Ｗの消費電力で、光束値は９２０．６ｌｍで、発光効率は３８．２ｌｍ／Ｗ、平均演色評価数Ｒａ＝９１．９、Ｒ９＝８６．４、色温度は２９５９．６Ｋであった。
このように、単色系ＬＥＤデバイスで構成したＬＥＤ照明装置は、混合系白色ＬＥＤデバイスで構成したものより、高演色で高光束なＬＥＤ照明装置が可能である。
【符号の説明】
【００３４】
１，２０，５０  ＬＥＤ照明装置
２，３，４，２１，３０，４０，５１  発光装置
５，２２，５２  基板
３１  半導体発光素子（ＬＥＤ素子）
３２  蛍光体含有フィルム片
３３  反射壁
３４  透明樹脂部
４１  白色ＬＥＤ素子
４２  保護素子
４３  セラミック基板
４４  樹脂レンズ
【図１】
2014120537.tif 000005
【図２】
2014120537.tif 000006
【図３】
2014120537.tif 000007
【図４】
2014120537.tif 000008
【図５】
2014120537.tif 000009
【図６】
2014120537.tif 000010
【図７】
2014120537.tif 000011